(57)【要約】【課題】回転電機の性能や体格を維持しつつ、容易に製造することができる積層構造のステータコアを提供する。【解決手段】第１，第２コアシートにおいて、周方向における第１，第２ティース部３２，４２の間隔の幅寸法が、第１，第２ティース部３２，４２の周方向における幅寸法よりも大きくされている。そして、積層方向に隣り合う第１コアシート及び第２コアシートにおいて、第１ティース部３２及び第２ティース部４２が積層方向に重ならないようにする。また、積層方向に隣り合う第１コアシート及び第２コアシートにおいて、第１ティース部３２及び第２ティース部４２同士が互いに離間するようにする。これにより、第１ティース部３２及び第２ティース部４２のそれぞれの周方向両側に、積層方向に連続するようにしてスロット空間を形成する。【選択図】      図５
2016226111.tif 000002
【特許請求の範囲】
【請求項１】
コア部材（３０，４０；５０；６０，７０）が積層されて構成された環状のステータコア（２０）において、
前記コア部材は、周方向に所定の間隔を隔てて形成された複数のティース部（３２，４２；５１；６２，７２）を有し、
前記間隔の幅寸法が、前記ティース部の周方向の幅寸法よりも大きいものとなっており、
コア積層方向に隣り合う前記コア部材の各コア層において前記ティース部がコア積層方向に重ならず、かつそれら隣り合うコア層の前記各ティース部同士が互いに離間しており、
前記各ティース部の周方向両側には、コア積層方向に連続するようにして、コイル（２０ａ）を巻回するスロット空間（Ｋ）が形成されていることを特徴とするステータコア。
【請求項２】
前記スロット空間の数であるスロット数で３６０°を除算した値が単位角度と定義されており、
前記ティース部は、２以上の整数を前記単位角度に乗算した間隔で周方向にそれぞれ形成されており、
コア積層方向に隣り合う前記コア部材の各コア層において、周方向に前記単位角度ずつずらして前記各ティース部が配置されていることを特徴とする請求項１に記載のステータコア。
【請求項３】
前記ティース部（３２；５１）は、コア積層方向において隣り合う一方の前記ティース部から他方の前記ティース部に向かって延びる延出部（３４，３５；５２，５３；３６；３７，３８）を有していることを特徴とする請求項１又は２に記載のステータコア。
【請求項４】
前記延出部は、先端部がコア積層方向において隣り合う前記ティース部に当接していることを特徴とする請求項３に記載のステータコア。
【請求項５】
前記ティース部（３２）の周方向側部に、コア積層方向への折り曲げにより前記延出部（３４，３５；３７，３８）が設けられていることを特徴とする請求項３又は４に記載のステータコア。
【請求項６】
前記ティース部（３２）の長手方向先端部に、コア積層方向への折り曲げにより前記延出部（３６）が設けられていることを特徴とする請求項３〜５のいずれか１項に記載のステータコア。
【請求項７】
前記延出部（３７，３８）は、前記ティース部に折り重ねることにより設けられていることを特徴とする請求項５又は６に記載のステータコア。
【請求項８】
前記スロット空間の数であるスロット数で３６０°を除算した値が単位角度と定義されており、
前記ティース部は、前記単位角度を２倍した間隔で周方向にそれぞれ形成されていることを特徴とする請求項１〜７のいずれか１項に記載のステータコア。
【請求項９】
前記コア部材が環状をなす第１コア部材（３０）及び環状をなす第２コア部材（４０）を有し、前記第１コア部材と前記第２コア部材とが交互に積層されることにより構成されたステータコアにおいて、
前記スロット空間の数であるスロット数で３６０°を除算した値が単位角度と定義されており、
前記第１コア部材及び前記第２コア部材のそれぞれにおいて、前記ティース部（３２，４２）は、前記単位角度を２倍した間隔で周方向にそれぞれ形成されており、
前記第１コア部材において、基準となる前記ティース部が第１基準ティース部（３２ａ）と定義されており、
前記第２コア部材において、基準となる前記ティース部が第２基準ティース部（４２ａ）と定義されており、
前記第１コア部材及び前記第２コア部材のそれぞれは、スロット数を２で除算した値が偶数である場合、前記第１コア部材及び前記第２コア部材が積層された状態で前記第１基準ティース部と前記第２基準ティース部とのなす角度が９０°となるように、前記第１コア部材及び前記第２コア部材のそれぞれの位置決めを行う位置決め部（３３，４３）を有していることを特徴とする請求項１〜８のいずれか１項に記載のステータコア。
【請求項１０】
前記コア部材が環状をなす第１コア部材（６０）及び環状をなす第２コア部材（７０）を有し、前記第１コア部材と前記第２コア部材とが交互に積層されることにより構成されたステータコアにおいて、
前記スロット空間の数であるスロット数で３６０°を除算した値が単位角度と定義されており、
前記第１コア部材及び前記第２コア部材のそれぞれにおいて、前記ティース部（６２，７２）は、前記単位角度を２倍した間隔で周方向にそれぞれ形成されており、
前記第１コア部材において、基準となる前記ティース部が第１基準ティース部（６２ａ）と定義されており、
前記第２コア部材において、基準となる前記ティース部が第２基準ティース部（７２ａ）と定義されており、
前記第１コア部材及び前記第２コア部材のそれぞれは、スロット数を２で除算した値が奇数である場合、前記第１コア部材及び前記第２コア部材が積層された状態で前記第１基準ティース部と前記第２基準ティース部とのなす角度が１８０°となるように、前記第１コア部材及び前記第２コア部材のそれぞれの位置決めを行う位置決め部（６３，７３）を有していることを特徴とする請求項１〜８のいずれか１項に記載のステータコア。
【発明の詳細な説明】
【技術分野】
【０００１】
本発明は、コア部材が積層されて構成されたステータコアに関する。
【背景技術】
【０００２】
この種のステータコアとしては、例えば下記特許文献１に見られるように、周方向に所定の間隔を隔てて形成されたティース部を備えるものが知られている。
【先行技術文献】
【特許文献】
【０００３】
【特許文献１】特開２０１５−６１３８５号公報
【発明の概要】
【発明が解決しようとする課題】
【０００４】
ここで、回転電機の性能を維持しつつステータコアを小型化したり、回転電機の体格を維持しつつステータコアのスロット数を増加させたりするといった要求を満たそうとすると、周方向に隣り合うティース部の間隔の幅寸法が小さくなる。この幅寸法が小さくなると、ステータコアの製造が難しくなる懸念がある。例えば、ステータコアを構成するコア部材を、鋼板をプレス加工して製造する場合、プレス加工によるコア部材の製造が難しくなる懸念がある。
【０００５】
本発明は、回転電機の性能や体格を維持しつつ、容易に製造することができるステータコアを提供することを主たる目的とする。
【課題を解決するための手段】
【０００６】
以下、上記課題を解決するための手段、及びその作用効果について記載する。
【０００７】
本発明は、コア部材（３０，４０；５０；６０，７０）が積層されて構成された環状のステータコア（２０）において、前記コア部材は、周方向に所定の間隔を隔てて形成された複数のティース部（３２，４２；５１；６２，７２）を有し、前記間隔の幅寸法が、前記ティース部の周方向の幅寸法よりも大きいものとなっており、コア積層方向に隣り合う前記コア部材の各コア層において前記ティース部がコア積層方向に重ならず、かつそれら隣り合うコア層の前記各ティース部同士が互いに離間しており、前記各ティース部の周方向両側には、コア積層方向に連続するようにして、コイル（２０ａ）を巻回するスロット空間（Ｋ）が形成されていることを特徴とする。
【０００８】
上記発明では、周方向に隣り合うティース部の間隔の幅寸法が、ティース部の周方向の幅寸法よりも大きいものとなっている。そして、コア積層方向に隣り合うコア部材の各コア層においてティース部がコア積層方向に重ならず、かつそれら隣り合うコア層の各ティース部同士が互いに離間している。そして、各ティース部の周方向両側には、コア積層方向に連続するようにして、コイルを巻回するスロット空間が形成されている。この構成によれば、各コア層において周方向に隣り合うティース部の間隔の幅寸法を拡張させて製造の容易化を図りつつも、そのティース部よりも細かいピッチでスロットを設けることができる。
【図面の簡単な説明】
【０００９】
【図１】第１実施形態にかかる回転電機の断面図。
【図２】第１コアシートの平面図。
【図３】第２コアシートの平面図。
【図４】第１，第２コアシートを積層した状態のステータコアの平面図。
【図５】第１，第２コアシートを積層した状態のステータコアの部分斜視図。
【図６】第２実施形態にかかる第１ティース部の斜視図。
【図７】第１コアシートの平面図。
【図８】第３実施形態にかかるスパイラル積層コアを構成する帯状のコアシートを示す図。
【図９】ティース部に設けられる延出部を示す図。
【図１０】ティース部に設けられる延出部を示す図。
【図１１】板状部材からコアシートを共取りする手法を示す図。
【図１２】その他の実施形態にかかる第１ティース部の斜視図。
【図１３】その他の実施形態にかかる第１コアシートの平面図。
【図１４】その他の実施形態にかかる第１ティース部の延出部を示す図。
【図１５】その他の実施形態にかかる第１コアシートの平面図。
【図１６】その他の実施形態にかかる第２コアシートの平面図。
【図１７】その他の実施形態にかかる第１，第２コアシートを積層した状態のステータコアの平面図。
【発明を実施するための形態】
【００１０】
（第１実施形態）
以下、本発明にかかるステータコアを具体化した第１実施形態について、図面を参照しつつ説明する。ステータコアは、回転電機を構成する。回転電機は、例えば、オルタネータや、車載パワーステアリング装置用のモータである。
【００１１】
図１に示すように、ステータコア２０は、回転電機１０を構成している。回転電機１０は、ステータコア２０に加えて、回転軸１１、ロータ１２、第１フレームエンド１３、及び第２フレームエンド１４を備えている。ロータ１２は、回転軸１１に固定されている。本実施形態において、ロータ１２は、永久磁石を有している。第１フレームエンド１３は、回転軸１１の一端側を回転可能に支持し、第２フレームエンド１４は、回転軸１１の他端側を回転可能に支持している。
【００１２】
ステータコア２０の内周側には、ロータ１２が配置されている。すなわち、本実施形態にかかる回転電機１０は、インナーロータ型のものである。
【００１３】
ステータコア２０は、円筒状をなし、第１フレームエンド１３と第２フレームエンド１４とに挟まれた状態で設けられている。ステータコア２０には、ステータコイル２０ａが巻回されている。第１フレームエンド１３と第２フレームエンド１４とによってステータコア２０を挟んだ状態において、第１フレームエンド１３と第２フレームエンド１４とに形成されたボルト孔１５にスルーボルト等の締結具１６が挿通され、第１フレームエンド１３と第２フレームエンド１４とが締結具１６によって固定される。これにより、ステータコア２０、第１フレームエンド１３及び第２フレームエンド１４が一体化されている。
【００１４】
本実施形態にかかるステータコア２０は、コア部材としての複数のコアシートＣが回転軸１１の中心軸線Ｘ方向に積層されて構成された積層コアである。ステータコア２０を構成する各コアシートは、円環状かつ薄板状をなしている。具体的には、コアシートは、シート状の磁性材（例えば電磁鋼板）をプレス加工にて打ち抜くことにより形成されている。各コアシートには、ティース及びスロットが形成されている。本実施形態において、複数のコアシートＣは、図２及び図３に示す第１コアシート３０及び第２コアシート４０を備えている。ステータコア２０は、第１コアシート３０及び第２コアシート４０が交互に積層されることにより構成されている。なお図１では、コアシート３０，４０の断面のハッチングを省略している。
【００１５】
続いて図２〜図５を用いて、ステータコア２０についてさらに説明する。本実施形態では、ステータコア２０のスロット数が６０とされている（図４参照）。このため、ステータコア２０のスロット数で３６０°を除算した値（以下、単位角度α）が６°に設定されている。
【００１６】
図２に、第１コアシート３０を示す。第１コアシート３０は、円環状の第１リング部３１と、先端部が第１コアシート３０の径方向内側に延び、所定角度「２α」間隔で第１コアシート３０の周方向に並べて設けられた複数の第１ティース部３２とを有している。第１ティース部３２の先端部は、周方向のそれぞれに延びる部分を有している。本実施形態では、上記所定角度「２α」が、上記単位角度αを２倍した角度である１２°に設定されている。このため、第１ティース部３２の数は、単位角度αを２倍した角度で３６０°を除算した値である３０となる。
【００１７】
図３に、第２コアシート４０を示す。第２コアシート４０は、円環状の第２リング部４１と、先端部が第２コアシート４０の径方向内側に延び、所定角度「２α」間隔で第２コアシート４０の周方向に並べて設けられた複数の第２ティース部４２とを有している。第２ティース部４２の先端部は、周方向のそれぞれに延びる部分を有している。本実施形態では、上記所定角度「２α」が、第１コアシート３０と同様に、上記単位角度αを２倍した角度である１２°に設定されている。このため、第２ティース部４２の数は、単位角度αを２倍した角度で３６０°を除算した値である３０となる。また本実施形態では、第１リング部３１の形状と第２リング部４１の形状とは同一であり、第２ティース部４２の形状と第１ティース部３２の形状とは同一である。
【００１８】
ここで、図２に示すように、ステータコア２０を構成する各第１コアシート３０のそれぞれにおいて、周方向における第１ティース部３２先端部の間隔の幅寸法が、第１ティース部３２先端部の周方向における幅寸法よりも大きいものとなっている。また、図３に示すように、ステータコア２０を構成する各第２コアシート４０のそれぞれにおいて、周方向における第２ティース部４２先端部の間隔の幅寸法が、第２ティース部４２先端部の周方向における幅寸法よりも大きいものとなっている。そして、図４に示すように、積層方向に隣り合う第１コアシート３０及び第２コアシート４０において各第１ティース部３２が積層方向に重ならないように、第１コアシート３０と第２コアシート４０とが交互に積層されている。また、積層方向に隣り合う第１コアシート３０及び第２コアシート４０において各第２ティース部４２が積層方向に重ならないように、第１コアシート３０と第２コアシート４０とが交互に積層されている。さらに、図５に示すように、積層方向に隣り合う第１コアシート３０及び第２コアシート４０において各第１ティース部３２及び各第２ティース部４２同士が互いに離間するように、第１コアシート３０と第２コアシート４０とを交互に積層する。
【００１９】
これにより、コア積層方向に隣り合う２層分のコアシート３０，４０において、周方向に単位角度αずつずらして各ティース部３２，４２が配置されることとなる。そしてこれにより、第１ティース部３２及び第２ティース部４２のそれぞれの周方向両側には、積層方向に連続するようにして、ステータコイル２０ａを巻回するスロット空間Ｋが形成されることとなる。
【００２０】
第１コアシート３０及び第２コアシート４０を上述した手法で交互に積層するために、第１コアシート３０及び第２コアシート４０のそれぞれは、位置決め部を有している。以下、位置決め部について説明する。
【００２１】
図２に示す第１コアシート３０の各第１ティース部３２のうち、基準となる第１ティース部３２を第１基準ティース部３２ａと定義する。また、図３に示す第２コアシート４０の各第２ティース部４２のうち、基準となる第２ティース部４２を第２基準ティース部４２ａと定義する。
【００２２】
本実施形態では、ステータコア２０のスロット数を２で除算した値が偶数である３０となる。このため、第１コアシート３０は、図４に示すように、第１コアシート３０及び第２コアシート４０が積層された状態で、第１基準ティース部３２ａと第２基準ティース部４２ａとのなす角度を９０°とするように、第１リング部３１のうち第１基準ティース部３２ａとの接続部から径方向外側に延びる第１位置決め部３３を有している。詳しくは、第１位置決め部３３は、第１リング部３１のうち第１基準ティース部３２ａとの接続部と、第１リング部３１のうちこの接続部と１８０°の角度をなす部分とのそれぞれから径方向外側に延びる部分である。
【００２３】
また、第２コアシート４０は、第１コアシート３０及び第２コアシート４０が積層された状態で、第１基準ティース部３２ａと第２基準ティース部４２ａとのなす角度を９０°とするように、第２リング部４１のうち第２基準ティース部４２ａとの接続部から径方向外側に延びる第２位置決め部４３を有している。詳しくは、第２位置決め部４３は、第２リング部４１のうち第２基準ティース部４２ａとの接続部と、第２リング部４１のうちこの接続部と１８０°の角度をなす部分とのそれぞれから径方向外側に延びる部分である。
【００２４】
第１位置決め部３３と第２位置決め部４３とが重なるように第１コアシート３０と第２コアシート４０と交互に積層することにより、ステータコア２０に６０個のスロット空間が形成される。
【００２５】
以上詳述した本実施形態の効果を説明する。
【００２６】
コア積層方向に隣り合う第１コアシート３０及び第２コアシート４０において、周方向に単位角度αずつずらして各ティース部３２，４２を配置することにより、各ティース部３２，４２のそれぞれの周方向両側に積層方向に連続するスロット空間Ｋを形成した。この構成は、回転電機１０の性能や体格を維持しつつ、ステータコア２０を容易に製造するためのものである。
【００２７】
詳しくは、回転電機１０の性能を維持しつつステータコア２０を小型化したり、回転電機１０の体格を維持しつつトルク脈動低減のためにスロット数を増加させたりするといった要求がある。この要求を満たそうとすると、ステータコア２０の周方向に隣り合うティース部の間隔の幅寸法が小さくなる。ティース部の間隔の幅寸法が小さくなると、プレス加工による第１，第２コアシート３０，４０の製造が難しくなる懸念がある。
【００２８】
ここで本実施形態によれば、各コアシート３０，４０において周方向に隣り合うティース部の間隔の幅寸法を、上記単位角度αよりも大きくすることができ、第１コアシート３０及び第２コアシート４０を容易に製造することができる。これにより、回転電機１０の性能や体格を維持しつつ、ステータコア２０の製造を容易にすることができる。
【００２９】
また本実施形態では、第１コアシート３０に第１位置決め部３３を備え、第２コアシート４０に第２位置決め部４３を備えた。このため、ステータコア２０を構成するコアシートの種類を２種類に抑えることができる。
【００３０】
（第２実施形態）
以下、第２実施形態について、上記第１実施形態との相違点を中心に図面を参照しつつ説明する。本実施形態では、第１コアシート３０の第１ティース部３２が、コアシートの積層方向において隣り合う第２ティース部４２に向かって延びる延出部を有している。また、第２コアシート４０の第２ティース部４２が、積層方向において隣り合う第１ティース部３２に向かって延びる延出部を有している。以下、図６を用いて、第１コアシート３０を例にして説明する。
【００３１】
図６に示すように、各第１ティース部３２の周方向側部には、第１，第２延出部３４，３５が設けられている。第１延出部３４は、第１ティース部３２の周方向外縁部のうち一端側から積層方向において第２ティース部４２に向かって延びる部分である。第２延出部３５は、第１ティース部３２の周方向外縁部のうち他端側から積層方向において第２ティース部４２に向かって延びる部分である。第１延出部３４の先端部は、積層方向に隣り合う第１コアシート３０において第１延出部３４の折り曲げ基端部に当接している。また、第２延出部３５の先端部は、積層方向に隣り合う第１コアシート３０において第２延出部３５の折り曲げ基端部に当接している。
【００３２】
図７に、板状部材をプレス加工によりカットした状態の第１コアシート３０を示す。第１延出部３４は、図７に示す第１コアシート３０において、第１ティース部３２の周方向の外縁部のうち一端側から周方向に延びる部分を積層方向に折り曲げることにより設けられ、第２延出部３５は、周方向の外縁部のうち他端側から周方向に延びる部分を積層方向に折り曲げることにより設けられている。
【００３３】
以上詳述した本実施形態の効果を説明する。
【００３４】
各第１ティース部３２に、周方向の外縁部のうち一端側からコアシートの積層方向に延びる第１延出部３４と、他端側から積層方向に延びる第２延出部３５とを設けた。そして、第１延出部３４及び第２延出部３５のそれぞれの先端部を、積層方向に隣り合う第１コアシート３０に当接させた。このため、第１ティース部３２の積層方向における強度を向上できる。これにより、ステータコア２０にステータコイル２０ａを巻回する場合に第１ティース部３２が曲がるのを抑制できる。
【００３５】
（第３実施形態）
以下、第３実施形態について、上記第１実施形態との相違点を中心に図面を参照しつつ説明する。本実施形態では、ステータコアとして、スパイラル積層コアを用いる。スパイラル積層コアは、図８に示すティース部５１を有する帯状のコアシート５０を螺旋状に複数回巻回することにより構成されている。ここで、周方向におけるティース部５１先端部の間隔の幅寸法が、ティース部５１先端部の周方向における幅寸法よりも大きいものとなっている。この構成を前提として、コアシート５０の積層方向に隣り合うコア層において、ティース部５１が積層方向に重ならないようにコアシート５０が巻回されている。また、積層方向に隣り合うコア層において各ティース部５１同士が互いに離間するようにするにコアシート５０が巻回されている。
【００３６】
これにより、コア積層方向に隣り合うコア層において、周方向に単位角度αずつずらして各ティース部５１が配置されることとなる。そしてこれにより、各ティース部５１のそれぞれの周方向両側には、積層方向に連続するようにしてスロット空間が形成されることとなる。
【００３７】
ここで本実施形態では、図９及び図１０に示すように、コアシート５０の積層方向に隣り合うティース部５１のうち一方に第１延出部５２が形成され、他方に第２延出部５３が形成されている。詳しくは、各ティース部５１には、その長手方向に沿って平行に２本の切り込み線が形成されている。切り込み線の中間部を押圧変形させることにより、ティース部５１の両面のうちいずれか一方に延出部が形成されている。第１延出部５２と第２延出部５３とのそれぞれは、図１０に示すように、コアシート５０の積層方向において互いに重ならない位置に、積層方向に隣り合う各ティース部５１のそれぞれに形成されている。第１延出部５２及び第２延出部５３のそれぞれは、積層方向において隣り合うティース部５１に当接している。
【００３８】
以上詳述した本実施形態の効果を説明する。
【００３９】
ティース部５１に各延出部５２，５３を設けた。このため、上記第２実施形態と同様の効果を得ることができる。
【００４０】
なお、スパイラル積層コアは、帯状のコアシート５０にて構成されている。このため、図１１に示すように、板状部材５４から一対のコアシート５０をプレス加工にて打ち抜いて形成するいわゆる共取りが可能となる。
【００４１】
（その他の実施形態）
なお、上記各実施形態は、以下のように変更して実施してもよい。
【００４２】
・上記第１実施形態では、第１ティース部３２の周方向外縁部を折り曲げることにより、各延出部３４，３５を形成した。この構成に限らず、図１２に示すように、第１ティース部３２の先端部を積層方向に折り曲げることにより、延出部３６を形成してもよい。この場合、延出部３６により、積層方向においてロータ１２と対向する面積を大きくすることができる。これにより、ステータコア２０とロータ１２との間の磁路の断面積を増大させることができる。また、図１２に示すように、延出部３６の先端部を、積層方向に隣り合う第１ティース部３２において延出部３６の折り曲げ基端部に当接させてもよい。なお、第２ティース部４２についても同様である。
【００４３】
・ティース部の径方向の外縁部を積層方向に折り曲げる図１２の構成と、ティース部の周方向の外縁部を積層方向に折り曲げる図６の構成とを組み合わせてもよい。
【００４４】
・延出部としては、上述したものに限らず、例えば以下に説明するものであってもよい。図１３に、板状部材をプレス加工によりカットした状態の第１コアシート３０の平面図を示す。図１３に示す第１コアシート３０において、第１ティース部３２の周方向外縁部のうち一端側から周方向に延びる部分を、積層方向において第１ティース部３２に隙間なく折り重ねることにより、第１延出部３７を形成する。また、第１ティース部３２の周方向の外縁部のうち他端側から周方向に延びる部分を、積層方向において第１ティース部３２に隙間なく折り重ねることにより、第２延出部３８を形成する。ここで、図１４に、第１ティース部３２の各延出部３７，３８を周方向に沿って切断した場合の断面図を示す。各延出部３７，３８を第１ティース部３２に隙間なく折り重ねた部分の厚さＢは、第１コアシート３０の厚さＡの２倍となる。このため、第１コアシート３０と第２コアシート４０とを交互に積層することにより、第１ティース部３２の積層方向に延びる部分の長さを調節することなく、第１延出部３７を積層方向に隣り合う第１ティース部３２に当接させることができる。また、第２ティース部４２の積層方向に延びる部分の長さを調節することなく、第２延出部３８を積層方向に隣り合う第２ティース部４２に当接させることができる。
【００４５】
・第１ティース部３２の先端部を、積層方向において第１ティース部３２に隙間なく折り重ねることにより、第１延出部を形成してもよい。なお、第２ティース部４２についても同様である。
【００４６】
・上記第１実施形態では、ステータコアのスロット数が６０個とされていたがこれに限らず、例えば１２０個としてもよい。この場合、スロット数を２で除算した値が偶数である６０となるため、上記第１実施形態と同様の位置決め部を採用することができる。また、スロット数としては、２で除算した値が偶数になるものに限らず、奇数になるものであってもよい。以下、スロット数が３０個となる構成を例にして説明する。この場合、単位角度αが１２°に設定される。
【００４７】
図１５に、スロット数が３０個の場合における第１コアシート６０を示す。第１コアシート６０は、上記第１実施形態と同様に、円環状の第１リング部６１と、複数の第１ティース部６２とを有している。第１ティース部６２の数は、１５個である。
【００４８】
図１６に、第２コアシート７０を示す。第２コアシート７０は、第１コアシート６０と同様に、円環状の第２リング部７１と、複数の第２ティース部７２とを有している。第２ティース部７２の数は、１５個である。なお、第１リング部６１の形状と第２リング部７１の形状とは同一であり、第２ティース部７２の形状と第１ティース部６２の形状とは同一である。
【００４９】
ここで、図１５に示すように、各第１コアシート６０のそれぞれにおいて、周方向における第１ティース部６２先端部の間隔の幅寸法が、第１ティース部６２先端部の周方向における幅寸法よりも大きいものとなっている。また、図１６に示すように、各第２コアシート７０のそれぞれにおいて、周方向における第２ティース部７２先端部の間隔の幅寸法が、第２ティース部７２先端部の周方向における幅寸法よりも大きいものとなっている。そして、図１７に示すように、積層方向に隣り合う第１コアシート６０及び第２コアシート７０において各第１ティース部６２が積層方向に重ならないように、第１コアシート６０と第２コアシート７０とが交互に積層されている。また、積層方向に隣り合う第１コアシート６０及び第２コアシート７０において各第２ティース部７２が積層方向に重ならないように、第１コアシート６０と第２コアシート７０とが交互に積層されている。さらに、積層方向に隣り合う第１コアシート６０及び第２コアシート７０において各第１ティース部６２及び各第２ティース部７２同士が互いに離間するように、第１コアシート６０と第２コアシート７０とが交互に積層されている。これにより、第１ティース部６２及び第２ティース部７２のそれぞれの周方向両側には、積層方向に連続するようにしてスロット空間Ｋが形成されることとなる。
【００５０】
第１コアシート６０及び第２コアシート７０を上述した手法で交互に積層するために、第１コアシート６０及び第２コアシート７０のそれぞれは、位置決め部を有している。以下、位置決め部について説明する。
【００５１】
図１５に示す第１コアシート６０の各第１ティース部６２のうち、基準となる第１ティース部６２を第１基準ティース部６２ａと定義する。また、図１６に示す第２コアシート７０の各第２ティース部７２のうち、基準となる第２ティース部７２を第２基準ティース部７２ａと定義する。
【００５２】
本実施形態では、ステータコアのスロット数を２で除算した値が１５であり、奇数となる。このため、第１コアシート６０は、図１７に示すように、第１コアシート６０及び第２コアシート７０が積層された状態で、第１基準ティース部６２ａと第２基準ティース部７２ａとのなす角度を１８０°とするように、第１リング部６１から径方向外側に延びる第１位置決め部６３を有している。また、第２コアシート７０は、第１コアシート６０及び第２コアシート７０が積層された状態で、第１基準ティース部６２ａと第２基準ティース部７２ａとのなす角度を１８０°とするように、第２リング部７１から径方向外側に延びる第２位置決め部７３を有している。第１位置決め部６３と第２位置決め部７３とが重なるように第１コアシート６０と第２コアシート７０と交互に積層することにより、ステータコアに３０個のスロットが形成される。
【００５３】
・ティース部が周方向に並べて設けられる間隔は、上記単位角度の２倍の間隔に限らず、上記単位角度に３以上の整数を乗算した間隔であってもよい。
【００５４】
・回転電機としては、インナーロータ側のものに限らず、ステータコアの外周側にロータが配置されたアウタロータ型のものを用いてもよい。この場合、コアシートのティース部は、コアシートの径方向外側に延びるものとなる。
【符号の説明】
【００５５】
２０…ステータコア、３０…第１コアシート、３２…第１ティース部、４０…第２コアシート、４２…第２ティース部。
【図１】
2016226111.tif 000003
【図２】
2016226111.tif 000004
【図３】
2016226111.tif 000005
【図４】
2016226111.tif 000006
【図５】
2016226111.tif 000007
【図６】
2016226111.tif 000008
【図７】
2016226111.tif 000009
【図８】
2016226111.tif 000010
【図９】
2016226111.tif 000011
【図１０】
2016226111.tif 000012
【図１１】
2016226111.tif 000013
【図１２】
2016226111.tif 000014
【図１３】
2016226111.tif 000015
【図１４】
2016226111.tif 000016
【図１５】
2016226111.tif 000017
【図１６】
2016226111.tif 000018
【図１７】
2016226111.tif 000019